(57)【要約】【課題】運動などにより、携帯型電子機器に衝撃などが加わっても、センサー取付け部を被装着部位に密着した状態に保持する携帯型電子機器バンドを提供する。【解決手段】バンド表面１０ｆに設けた一対の第１突起部１０ｃおよび第２突起部１０ｄと、第１突起部１０ｃと第２突起部１０ｄとの間に、第１突起部１０ｃと第２突起部１０ｄとが配置される方向に貫通孔１０ｇを有するバンド保持部１０ｅと、を含む第１バンド１０と、貫通孔１０ｇに挿入される剣先２０ａと、剣先２０ａとバンド保持部１０ｅとの間に設けられた第１突起部１０ｃが挿入される連結孔２０ｂと、第２突起部１０ｄが挿入される連結孔２０ｂと、を含む第２バンド２０とを含み、第１バンド１０は、第１突起部１０ｃと、バンド保持部１０ｅと、第２突起部１０ｄと、に重なる領域に、他の領域よりも曲げ剛性が高く一体的に形成された支持部３０を含む、携帯型電子機器バンド。【選択図】図５
2018153294.tif 000002
【特許請求の範囲】
【請求項１】
一方の面に設けられている一対の第１の突起部および第２の突起部と、
前記第１の突起部と前記第２の突起部との間に、前記第１の突起部と前記第２の突起部とが並んでいる方向に沿って貫通している貫通孔が設けられているバンド保持部と、
を含む一方のバンドと、
前記貫通孔に挿入される剣先を含み、
平面視で、前記剣先と前記バンド保持部との間に配置され、前記第１の突起部が挿入される第１の連結孔と、
前記第２の突起部が挿入される第２の連結孔と、
が空けられている他方のバンドと、
を含み、
前記一方のバンドは、
平面視で、前記第１の突起部と、前記バンド保持部と、前記第２の突起部と、に重なる領域に、他の領域よりも曲げ剛性が高い支持部が配置されている、
携帯型電子機器バンド。
【請求項２】
一方の面に設けられている一対の第３の突起部および第４の突起部と、
前記第３の突起部と前記第４の突起部との間に配置され、前記第３の突起部と前記第４の突起部とが並んでいる方向に沿って貫通している貫通孔が設けられているバンド保持部と、
を含む接続部材と、
前記貫通孔に、一方の方向に沿って挿入される第１の剣先を含み、
平面視で、前記第１の剣先と前記バンド保持部との間に配置され、前記第３の突起部に挿入される第３の連結孔と、
前記第４の突起部に挿入される第４の連結孔と、
が空けられている一方のバンドと、
前記貫通孔に、前記一方の方向とは反対側の他方の方向に沿って挿入される第２の剣先を含み、
平面視で、前記第２の剣先と前記バンド保持部との間に配置され、前記第４の突起部に挿入される第５の連結孔と、
前記第３の突起部に挿入される第６の連結孔と、
が空けられている他方のバンドと、
を含み、
前記接続部材は、
平面視で前記第３の突起部と、前記バンド保持部と、前記第４の突起部と、に重なる領域に、前記一方のバンドおよび前記他方のバンドよりも曲げ剛性が高い支持部が配置されている、
携帯型電子機器バンド。
【請求項３】
一方の面に設けられている一対の第５の突起部および第６の突起部と、
前記第５の突起部と前記第６の突起部との間に配置され、前記第５の突起部と前記第６の突起部とが並んでいる方向に沿って貫通している第１の貫通孔が設けられている第１のバンド保持部と、
前記一方の面とは反対側の他方の面に設けられている一対の第７の突起部および第８の突起部と、
前記第７の突起部と前記第８の突起部との間に配置され、前記第７の突起部と前記第８の突起部とが並んでいる方向に沿って貫通している第２の貫通孔が設けられている第２のバンド保持部と、
を含む接続部材と、
前記接続部材の前記第１の貫通孔に一方の方向に沿って挿入される第１の剣先を含み、
且つ、平面視で、前記第１の剣先と前記第１のバンド保持部との間に配置され、前記第５の突起部が挿入される第５の連結孔と、
前記第６の突起部が挿入される第６の連結孔と、
が空けられている一方のバンドと、
前記接続部材の前記第２の貫通孔に前記一方の方向とは反対側の他方の方向に沿って挿入される第２の剣先を含み、
且つ、平面視で、前記第２の剣先と前記第２のバンド保持部との間に配置され、前記第７の突起部に挿入される第７の連結孔と、
前記第８の突起部が挿入される第８の連結孔と、
が空けられている他方のバンドと、
を含み、
前記接続部材は、平面視で、前記第５の突起部と、前記第１のバンド保持部と、前記第６の突起部と、重なり、
且つ、前記第７の突起部と、前記第２のバンド保持部と、前記第８の突起部と、が重なっている領域に、前記一方のバンドおよび前記他方のバンドよりも曲げ剛性が高い支持部が配置されている、
携帯型電子機器バンド。
【請求項４】
請求項１乃至請求項３のいずれか一項において、
前記突起部の突出方向からの平面視で、前記突起部の形状が、長方形状または長円形状であり、
前記長方形状、または、前記長円形状の長手方向が一方のバンドの長手方向に沿っている、
携帯型電子機器バンド。
【請求項５】
請求項１乃至請求項４のいずれか一項において、
前記連結孔の内周面に溝が設けられている、
携帯型電子機器バンド。
【請求項６】
請求項１乃至請求項４のいずれか一項において、
前記突起部の表面に突起、または、溝を設けられている、
携帯型電子機器バンド。
【請求項７】
請求項１乃至請求項４のいずれか一項において、
前記突起部の先端に、前記突起部の付け根部の外径より大きな外径の張り出し部が設けられている、
携帯型電子機器バンド。
【請求項８】
請求項１または請求項２において、
前記一方の面とは反対側の他方の面が凹状に湾曲している、
携帯型電子機器バンド。
【請求項９】
請求項１乃至請求項８のいずれか一項に記載の携帯型電子機器バンドと、
電子機器本体と、
を備えている、
携帯型電子機器。
【請求項１０】
電子機器本体と、
前記電子機器本体を挟む両側に取り付けられている一方のバンドおよび他方のバンドからなる一対のバンドと、を含む携帯型電子機器の取付け方法であって、
一方の面に設けられている一対の第１の突起部および第２の突起部と、
前記第１の突起部と前記第２の突起部との間に配置され、前記第１の突起部と前記第２の突起部とが並んでいる方向に沿って貫通している貫通孔が設けられているバンド保持部と、
を含む前記一方のバンドと、
前記貫通孔を通る剣先を含み、
平面視で、前記剣先と前記バンド保持部との間に配置され、前記第１の突起部に対応して設けられた第１の連結孔と、
前記第２の突起部に対応して設けられた第２の連結孔と、
が空けられている前記他方のバンドと、
を含み、
前記一方のバンドは、
平面視で、前記第１の突起部と、前記バンド保持部と、前記第２の突起部と、に重なる領域に、他の領域よりも曲げ剛性が高い支持部を含んで構成されて、
前記他方のバンドの前記剣先が前記貫通孔に挿入されて、前記第１の突起部が前記第１の連結孔に挿入され、前記第２の突起部が前記第２の連結孔に挿入される、
携帯型電子機器の取付け方法。
【請求項１１】
電子機器本体と、
前記電子機器本体を挟む両側に取り付けられている一方のバンドおよび他方のバンドからなる一対のバンドと、接続部材とを含む携帯型電子機器の取付け方法であって、
一方の面に設けられている一対の第３の突起部および第４の突起部と、
前記第３の突起部と前記第４の突起部との間に配置され、前記第３の突起部と前記第４の突起部とが並んでいる方向に沿って貫通している貫通孔が設けられているバンド保持部と
を含む接続部材と、
前記貫通孔を通る第１の剣先を含み、
平面視で、前記第１の剣先と前記バンド保持部との間に配置され、前記第３の突起部に対応して設けられた第３の連結孔と、
前記第４の突起部に対応して設けられた第４の連結孔と、
が空けられている前記一方のバンドと、
前記貫通孔に、通る第２の剣先を含み、
平面視で、前記第２の剣先と前記バンド保持部との間に配置され、前記第４の突起部に対応して設けられた第５の連結孔と、
前記第３の突起部に対応して設けられた第６の連結孔と、
が空けられている前記他方のバンドと、
を含み、
前記接続部材は、
平面視で前記第３の突起部と、前記バンド保持部と、前記第４の突起部と、に重なる領域に、前記一方のバンドおよび前記他方のバンドよりも曲げ剛性が高い支持部を含んで構成されて、
前記一方のバンドの前記第１の剣先が一方の方向に沿って前記貫通孔に挿入されて、前記第３の突起部が前記第３の連結孔と、前記第４の突起部が前記第４の連結孔に挿入され、次に、前記他方のバンドの前記第２の剣先が前記一方の方向と反対の他方の方向に沿って前記貫通孔に挿入されて、前記第４の突起部が前記第５の連結孔と、前記第３の突起部が前記第６の連結孔に挿入される、
携帯型電子機器の取付け方法。
【請求項１２】
電子機器本体と、
前記電子機器本体を挟む両側に取り付けられている一方のバンドおよび他方のバンドからなる一対のバンドと、接続部材とを含む携帯型電子機器の取付け方法であって、
一方の面に設けられている一対の第５の突起部および第６の突起部と、
前記第５の突起部と前記第６の突起部との間に配置され、前記第５の突起部と前記第６の突起部とが並んでいる方向に沿って貫通している第１の貫通孔が設けられている第１のバンド保持部と、
前記一方の面とは反対側の他方の面に設けられている一対の第７の突起部および第８の突起部と、
前記第７の突起部と前記第８の突起部との間に配置され、前記第７の突起部と前記第８の突起部とが並んでいる方向に沿って貫通している第２の貫通孔が設けられている第２のバンド保持部と、
を含む接続部材と、
前記接続部材の前記第１の貫通孔に通る第１の剣先を含み、
且つ、平面視で、前記第１の剣先と前記第１のバンド保持部との間に配置され、前記第５の突起部に対応して設けられた第５の連結孔と、
前記第６の突起部に対応して設けられた第６の連結孔と、
が空けられている前記一方のバンドと、
前記接続部材の前記第２の貫通孔を通る第２の剣先を含み、
且つ、平面視で、前記第２の剣先と前記第２のバンド保持部との間に配置され、前記第７の突起部に対応して設けられた第７の連結孔と、
前記第８の突起部に対応して設けられた第８の連結孔と、
が空けられている前記他方のバンドと、
を含み、
前記接続部材は、平面視で、前記第５の突起部と、前記第１のバンド保持部と、前記第６の突起部と、重なり、
且つ、前記第７の突起部と、前記第２のバンド保持部と、前記第８の突起部と、が重なっている領域に、前記一方のバンドおよび前記他方のバンドよりも曲げ剛性が高い支持部が配置されて、
前記一方のバンドの前記第１の剣先が、一方の方向に沿って前記第１のバンド保持部の前記第１の貫通孔に挿入されて、前記第５の突起部が前記第５の連結孔と、前記第６の突起部が前記第６の連結孔とに挿入されて、次に、前記他方のバンドの前記第２の剣先が、一方の方向と反対の他方の方向に沿って前記第２のバンド保持部の前記第２の貫通孔に挿入されて、前記第７の突起部が前記第７の連結孔に挿入されて、前記第８の突起部が前記第８の連結孔に挿入される、
携帯型電子機器の取付け方法。
【発明の詳細な説明】
【技術分野】
【０００１】
本発明は、携帯型電子機器バンド、携帯型電子機器および携帯型電子機器の取付け方法に関する。
【背景技術】
【０００２】
近年、センシング技術の向上により、携帯型電子機器の一例として、腕時計型の活動量計が各社から多く商品化されてきている。このような腕時計型の活動量計は、人体における手首や足首などの適当な被装着部位（被検体）に、バンドを用いて活動量計の本体に搭載した生体センサー部を密着させて脈拍などの生体情報を取得している。
【０００３】
携帯型電子機器１０００を、電子機器本体１００に取り付けたバンド３００，３０１を用いて被装着部位２００に装着した断面形状を図１８に示す。電子機器本体１００の被装着部位２００と当接する面に生体センサー部７１ｂが設けられている。一対のバンド３００，３０１の一方の端部には、電子機器本体１００との取付け部（例えば、ばね棒を用いた取付け構造）が構成されて、バンド３００，３０１が電子機器本体１００の両端部に回転可能に取り付けられている。バンド３００，３０１は、材料に弾性部材を用いて被装着部位２００の外形に沿わせて変形させて装着している。バンド３００，３０１の装着前の形状を２点鎖線で示す。バンド３００の電子機器本体１００との取付け部と反対側の端部には、着脱構造を有する着脱部３０２が設けられている。着脱部３０２は、端部に美錠（尾錠）とつく棒とを備えた一方のバンド３００と、美錠に剣先が挿入されてつく棒が挿入されるつく棒孔が設けられた他方のバンド３０１とから構成されている。電子機器本体１００を被装着部位２００に装着する際には、２点鎖線で示した平坦な形状で構成されたバンド３００，３０１を被装着部位２００に沿わせて環状に変形させ、着脱部３０２によりバンド３００とバンド３０１とを接続する。そして、電子機器本体１００の生体センサー部７１ｂを被装着部位２００に密着させている。このような構成を持つ一対のバンドを有する腕時計が開示されている。（例えば、特許文献１参照）。
【０００４】
また、着脱部３０２の構成が一方のバンドに設けられた凹部に他方のバンドに設けられた凸部をはめ込むこと、或いは、前記凹部にはめ込んだ前記凸部を前記凹部から取り外すことにより着脱が可能な一対のバンド構造が構成され、ウェアラブル機器を被装着部位に装着することができるバンド構造が開示されている。（例えば、特許文献２参照）。
【０００５】
さらに、着脱部３０２の構成が、遊革に相当する環状の一対の止め帯が美錠の両端部に設けられて、一対のバンドのそれぞれの剣先が対向するように止め帯の開口部に挿入されている。そして、一対の止め帯の中間部に設けられた凸部に一対のバンドに設けられている孔が挿入されることにより、一対のバンドが環状に構成されて、ウェアラブル機器を被装着部位に装着することができるバンド構造が開示されている。（例えば、特許文献３参照）。
【先行技術文献】
【特許文献】
【０００６】
【特許文献１】特開２００５−２０４８０１号
【特許文献２】実開昭５９−７５１１８号
【特許文献３】実開昭６０−７７４０９号
【発明の概要】
【発明が解決しようとする課題】
【０００７】
しかし、特許文献１，２，３に記載されているバンド構造は、図１８に図示するように、被装着部位２００に装着前の形状が平坦な形状で構成されたバンド３００，３０１を変形させながら巻き付けると、バンド３００，３０１が環状に弾性変形することによって生じる弾性反発力により、バンド３００とバンド３０１とが対向する方向に沿った反発力Ｆ１，Ｆ２が生じる。そして、反発力Ｆ１，Ｆ２の作用によりバンド３００，３０１の端部に取り付けられた電子機器本体１００が被装着部位２００側とは反対側の方向に持ち上げられ、生体センサー部７１ｂと被装着部位２００の被装着面ＳＦとの間にすき間ＳＰが生じやすくなる。よって、電子機器本体１００を手首などの被装着部位２００（被検体）に装着し、ランニングや、ウォーキングなどの運動を行うと、電子機器本体１００が運動に起因する衝撃や振動により搖動し所望の位置から動いてしまうため、生体センサー部７１ｂによる生体情報の取得精度を低下させてしまうという虞があった。
【課題を解決するための手段】
【０００８】
本発明は、上述の課題の少なくとも一部を解決するためになされたものであり、以下の形態または適用例として実現することが可能である。
【０００９】
［適用例１］
本適用例に係る携帯型電子機器バンドは、一方の面に設けられている一対の第１の突起部および第２の突起部と、前記第１の突起部と前記第２の突起部との間に、前記第１の突起部と前記第２の突起部とが並んでいる方向に沿って貫通している貫通孔が設けられているバンド保持部と、を含む一方のバンドと、前記貫通孔に挿入される剣先を含み、平面視で、前記剣先と前記バンド保持部との間に配置され、前記第１の突起部が挿入される第１の連結孔と、前記第２の突起部が挿入される第２の連結孔と、が空けられている他方のバンドと、を含み、前記一方のバンドは、平面視で、前記第１の突起部と、前記バンド保持部と、前記第２の突起部と、に重なる領域に、他の領域よりも曲げ剛性が高い支持部が配置されている。
【００１０】
本適用例の携帯型電子機器バンドによれば、一方のバンド本体と他方のバンド本体とが装着前の形状から環状に弾性変形しながら被装着部位に装着されると、曲げ剛性が高い支持部により、弾性変形に伴い生じた弾性反発力を低減して支持部の形状に沿って、一方のバンド本体と他方のバンド本体が追従する。従って、支持部の形状に沿って直線状に一方のバンドと他方のバンドが構成されるので、運動時などに起因して生じる衝撃や振動などにより、携帯型電子機器が被装着部位から持ち上がってしまうことを低減することができる。
【００１１】
［適用例２］
本適用例に係る携帯型電子機器バンドは、一方の面に設けられている一対の第３の突起部および第４の突起部と、前記第３の突起部と前記第４の突起部との間に配置され、前記第３の突起部と前記第４の突起部とが並んでいる方向に沿って貫通している貫通孔が設けられているバンド保持部と、を含む接続部材と、前記貫通孔に、一方の方向に沿って挿入される第１の剣先を含み、平面視で、前記第１の剣先と前記バンド保持部との間に配置され、前記第３の突起部に挿入される第３の連結孔と、前記第４の突起部に挿入される第４の連結孔と、が空けられている一方のバンドと、前記貫通孔に、前記一方の方向とは反対側の他方の方向に沿って挿入される第２の剣先を含み、平面視で、前記第２の剣先と前記バンド保持部との間に配置され、前記第４の突起部に挿入される第５の連結孔と、前記第３の突起部に挿入される第６の連結孔と、が空けられている他方のバンドと、を含み、前記接続部材は、平面視で前記第３の突起部と、前記バンド保持部と、前記第４の突起部と、に重なる領域に、前記一方のバンドおよび前記他方のバンドよりも曲げ剛性が高い支持部が配置されている。
【００１２】
本適用例の携帯型電子機器バンドによれば、一方のバンド本体と他方のバンド本体とが接続部材を用いて装着前の形状から環状に弾性変形しながら被装着部位に装着されると、接続部材と一体的に構成された曲げ剛性が高い支持部により、接続部材の形状に一方のバンド本体および他方のバンド本体が追従する。従って、支持部の形状に沿って直線状に一方のバンドと他方のバンドが構成されるので、運動時などに起因して生じる衝撃や振動などにより、携帯型電子機器が被装着部位から持ち上がってしまうことを低減することができる。
【００１３】
［適用例３］
本適用例に係る携帯型電子機器バンドは、一方の面に設けられている一対の第５の突起部および第６の突起部と、前記第５の突起部と前記第６の突起部との間に配置され、前記第５の突起部と前記第６の突起部とが並んでいる方向に沿って貫通している第１の貫通孔が設けられている第１のバンド保持部と、前記一方の面とは反対側の他方の面に設けられている一対の第７の突起部および第８の突起部と、前記第７の突起部と前記第８の突起部との間に配置され、前記第７の突起部と前記第８の突起部とが並んでいる方向に沿って貫通している第２の貫通孔が設けられている第２のバンド保持部と、を含む接続部材と、前記接続部材の前記第１の貫通孔に一方の方向に沿って挿入される第１の剣先を含み、且つ、平面視で、前記第１の剣先と前記第１のバンド保持部との間に配置され、前記第５の突起部が挿入される第５の連結孔と、前記第６の突起部が挿入される第６の連結孔と、が空けられている一方のバンドと、前記接続部材の前記第２の貫通孔に前記一方の方向とは反対側の他方の方向に沿って挿入される第２の剣先を含み、且つ、平面視で、前記第２の剣先と前記第２のバンド保持部との間に配置され、前記第７の突起部に挿入される第７の連結孔と、前記第８の突起部が挿入される第８の連結孔と、が空けられている他方のバンドと、を含み、前記接続部材は、平面視で、前記第５の突起部と、前記第１のバンド保持部と、前記第６の突起部と、重なり、且つ、前記第７の突起部と、前記第２のバンド保持部と、前記第８の突起部と、が重なっている領域に、前記一方のバンドおよび前記他方のバンドよりも曲げ剛性が高い支持部が配置されている。
【００１４】
本適用例の携帯型電子機器バンドによれば、接続部材が、一方のバンドおよび他方のバンドより曲がり難く構成されているので、一方のバンド本体と他方のバンド本体とが環状に構成されることにより生じる弾性反発力を低減し、支持部の形状に沿った、構成にすることができる。従って、支持部の形状に沿って直線状に一方のバンドと他方のバンドが構成されるので、運動時などに起因して生じる衝撃や振動などにより、携帯型電子機器が被装着部位から持ち上がってしまうことを低減することができる。
【００１５】
［適用例４］
上記適用例に記載の携帯型電子機器バンドにおいて、前記突起部の突出方向からの平面視で、前記突起部の形状が、長方形状または長円形状であり、前記長方形状、または、前記長円形状の長手方向が一方のバンドの長手方向に沿っている。
【００１６】
本適用例によれば、突起部が一方のバンドと他方のバンドとがそれぞれの長手方向に沿って引き離すように引っ張られた際に、突起部が引っ張り力により傾いてしまうことを防ぐことができる。よって、一方のバンドと他方のバンドとの接続が、突起部が傾斜することにより連結孔から突起部が抜けてしまうことを防ぐことができる。従って、運動時の振動や衝撃に起因して携帯型電子機器が被装着部位から外れてしまうことを防ぐことができる。
【００１７】
［適用例５］
上記適用例に記載の携帯型電子機器バンドにおいて、前記連結孔の内周面に溝が設けられている。
【００１８】
本適用例によれば、連結孔の内周面に溝を設けることにより、連結孔に突起部を挿入すると溝の角部が突起部の外周面に引っ掛かり突起部を抜けにくくすることができる。よって、運動時の振動や衝撃に起因して一方のバンドと他方のバンドの接続が外れてしまうことを防ぐことができる。
【００１９】
［適用例６］
上記適用例に記載の携帯型電子機器バンドにおいて、前記突起部の表面に突起、または、溝を設けられている。
【００２０】
本適用例によれば、突起部の外周面に突起を設けることにより連結孔の内周面が突起形状に沿って部分的に変形して引っ掛かり部が形成されて、連結孔から突起部を抜けにくくすることができる。また、突起部の外周面に溝を設けることにより連結孔の内周面の一部が溝に入り込み引っ掛かり部が形成されて、連結孔から突起を抜けにくくすることができる。よって、運動時の振動や衝撃に起因して一方のバンドと他方のバンドの接続が外れてしまうことを防ぐことができる。
【００２１】
［適用例７］
上記適用例に記載の携帯型電子機器バンドにおいて、前記突起部の先端に、前記突起部の付け根部の外径より大きな外径の張り出し部が設けられている。
【００２２】
本適用例によれば、突起部の先端部に設けた張り出し部が、連結孔を貫いてバンドの表面に露出することにより、張り出し部が連結孔に引っ掛かるため、突起部が連結孔から外れにくくすることができる。よって、運動時の振動や衝撃に起因して一方のバンドと他方のバンドとの接続が外れてしまうことを防ぐことができる。
【００２３】
［適用例８］
上記適用例に記載の携帯型電子機器バンドにおいて、前記一方の面とは反対側の他方の面が凹状に湾曲している。
【００２４】
本適用例によれば、他方の面を凹状の形状に構成することにより、一方のバンドまたは接続部材を被装着部位に密着させて、電子機器本体を安定的に被装着部位に保持することができる。よって、運動時においても携帯型電子機器を安定的に被装着部位に密着させて装着することができる。
【００２５】
［適用例９］
本適用例に係る携帯型電子機器は、上記適用例に記載の携帯型電子機器バンドと、電子機器本体と、を備えている。
【００２６】
本適用例の携帯型電子機器によれば、電子機器本体の両端部に取り付けた一方のバンドと他方のバンドが、装着前の形状から環状に弾性変形させながら接続されて被装着部位に携帯型電子機器が装着される。曲げ剛性が高い支持部により弾性変形に伴い生じた弾性反発力を低減して、一方のバンド本体と他方のバンド本体とが支持部の形状に沿って追従する。従って、支持部の形状に沿って直線状に一方のバンドと他方のバンドが構成されるので、運動時などに起因して生じる衝撃や振動などにより、携帯型電子機器が被装着部位から持ち上がってしまうことを低減することができる。
【００２７】
［適用例１０］
本適用例に係る携帯型電子機器の取付け方法は、電子機器本体と、前記電子機器本体を挟む両側に取り付けられている一方のバンドおよび他方のバンドからなる一対のバンドと、を含む携帯型電子機器の取付け方法であって、一方の面に設けられている一対の第１の突起部および第２の突起部と、前記第１の突起部と前記第２の突起部との間に配置され、前記第１の突起部と前記第２の突起部とが並んでいる方向に沿って貫通している貫通孔が設けられているバンド保持部と、を含む前記一方のバンドと、前記貫通孔を通る剣先を含み、平面視で、前記剣先と前記バンド保持部との間に配置され、前記第１の突起部に対応して設けられた第１の連結孔と、前記第２の突起部に対応して設けられた第２の連結孔と、が空けられている前記他方のバンドと、を含み、前記一方のバンドは、平面視で、前記第１の突起部と、前記バンド保持部と、前記第２の突起部と、に重なる領域に、他の領域よりも曲げ剛性が高い支持部を含んで構成されて、前記他方のバンドの前記剣先が前記貫通孔に挿入されて、前記第１の突起部が前記第１の連結孔に挿入され、前記第２の突起部が前記第２の連結孔に挿入される。
【００２８】
本適用例の携帯型電子機器の取付け方法によれば、携帯型電子機器を挟む両端部に一方のバンド、および他方のバンドからなる一対のバンドが取り付けられて、一方のバンドに設けた第１、第２の突起部に、第１、第２の連結孔が挿入されることにより、一方のバンドと他方のバンドとが環状に構成されて携帯型電子機器を被装着部位に装着することができる。
【００２９】
［適用例１１］
本適用例に係る携帯型電子機器の取付け方法は、電子機器本体と、前記電子機器本体を挟む両側に取り付けられている一方のバンドおよび他方のバンドからなる一対のバンドと、接続部材とを含む携帯型電子機器の取付け方法であって、一方の面に設けられている一対の第３の突起部および第４の突起部と、前記第３の突起部と前記第４の突起部との間に配置され、前記第３の突起部と前記第４の突起部とが並んでいる方向に沿って貫通している貫通孔が設けられているバンド保持部と、を含む接続部材と、前記貫通孔を通る第１の剣先を含み、平面視で、前記第１の剣先と前記バンド保持部との間に配置され、前記第３の突起部に対応して設けられた第３の連結孔と、前記第４の突起部に対応して設けられた第４の連結孔と、が空けられている前記一方のバンドと、前記貫通孔に、通る第２の剣先を含み、平面視で、前記第２の剣先と前記バンド保持部との間に配置され、前記第４の突起部に対応して設けられた第５の連結孔と、前記第３の突起部に対応して設けられた第６の連結孔と、が空けられている前記他方のバンドと、を含み、前記接続部材は、平面視で前記第３の突起部と、前記バンド保持部と、前記第４の突起部と、に重なる領域に、前記一方のバンドおよび前記他方のバンドよりも曲げ剛性が高い支持部を含んで構成されて、前記一方のバンドの前記第１の剣先が一方の方向に沿って前記貫通孔に挿入されて、前記第３の突起部が前記第３の連結孔と、前記第４の突起部が前記第４の連結孔に挿入され、次に、前記他方のバンドの前記第２の剣先が前記一方の方向と反対の他方の方向に沿って前記貫通孔に挿入されて、前記第４の突起部が前記第５の連結孔と、前記第３の突起部が前記第６の連結孔に挿入される。
【００３０】
本適用例の携帯型電子機器の取付け方法によれば、携帯型電子機器を挟む両端部に一方のバンド、および他方のバンドからなる一対のバンドが取り付けられて、接続部材に設けた第３、第４の突起部に第３、第４の連結孔が挿入されて、さらに、第５、第６の連結孔が挿入されることにより、一方のバンドおよび他方のバンドが接続部材を用いて接続することができる。従って、一方のバンドおよび他方のバンドを接続部材により環状に構成して、携帯型電子機器を被装着部位に装着することができる。
【００３１】
［適用例１２］
本適用例に係る携帯型電子機器の取付け方法は、電子機器本体と、前記電子機器本体を挟む両側に取り付けられている一方のバンドおよび他方のバンドからなる一対のバンドと、接続部材とを含む携帯型電子機器の取付け方法であって、一方の面に設けられている一対の第５の突起部および第６の突起部と、前記第５の突起部と前記第６の突起部との間に配置され、前記第５の突起部と前記第６の突起部とが並んでいる方向に沿って貫通している第１の貫通孔が設けられている第１のバンド保持部と、前記一方の面とは反対側の他方の面に設けられている一対の第７の突起部および第８の突起部と、前記第７の突起部と前記第８の突起部との間に配置され、前記第７の突起部と前記第８の突起部とが並んでいる方向に沿って貫通している第２の貫通孔が設けられている第２のバンド保持部と、を含む接続部材と、前記接続部材の前記第１の貫通孔に通る第１の剣先を含み、且つ、平面視で、前記第１の剣先と前記第１のバンド保持部との間に配置され、前記第５の突起部に対応して設けられた第５の連結孔と、前記第６の突起部に対応して設けられた第６の連結孔と、が空けられている前記一方のバンドと、前記接続部材の前記第２の貫通孔を通る第２の剣先を含み、且つ、平面視で、前記第２の剣先と前記第２のバンド保持部との間に配置され、前記第７の突起部に対応して設けられた第７の連結孔と、前記第８の突起部に対応して設けられた第８の連結孔と、が空けられている前記他方のバンドと、を含み、前記接続部材は、平面視で、前記第５の突起部と、前記第１のバンド保持部と、前記第６の突起部と、重なり、且つ、前記第７の突起部と、前記第２のバンド保持部と、前記第８の突起部と、が重なっている領域に、前記一方のバンドおよび前記他方のバンドよりも曲げ剛性が高い支持部が配置されて、前記一方のバンドの前記第１の剣先が、一方の方向に沿って前記第１のバンド保持部の前記第１の貫通孔に挿入されて、前記第５の突起部が前記第５の連結孔と、前記第６の突起部が前記第６の連結孔とに挿入されて、次に、前記他方のバンドの前記第２の剣先が、一方の方向と反対の他方の方向に沿って前記第２のバンド保持部の前記第２の貫通孔に挿入されて、前記第７の突起部が前記第７の連結孔に挿入されて、前記第８の突起部が前記第８の連結孔に挿入される。
【００３２】
本適用例の携帯型電子機器取付け方法によれば、携帯型電子機器を挟む両端部に一方のバンド、および他方のバンドからなる一対のバンドが取り付けられて、接続部材に設けた第５、第６の突起部に、第５、第６の連結孔が挿入されて、さらに、第７、第８の突起部に、第７、第８の連結孔が挿入されることにより、一方のバンドおよび他方のバンドが接続部材を用いて接続することができる。従って、一方のバンドおよび他方のバンドを、接続部材により環状に構成して携帯型電子機器を被装着部位に装着することができる。
【図面の簡単な説明】
【００３３】
【図１】携帯型電子機器バンドを用いた携帯型電子機器としてのリスト機器の構成例を示す上面（表面）斜視図。
【図２】リスト機器の構成例を示す下面（裏面）斜視図。
【図３】リスト機器の概略構成を示す図１のＹＺ面断面図。
【図４】リスト機器に備えられた第１実施形態に係る接続部の構成例を示す分解斜視図。
【図５】第１実施形態に係る接続部を有するリスト機器の装着状態を示す図１のＹＺ面断面図。
【図６】第１実施形態に係る接続部の装着状態を示す図５の接続部付近の断面図。
【図７】第１実施形態の変形例に係る接続部の要部の平面図。
【図８】第１実施形態の変形例に係る接続部の要部の平面図。
【図９】第１実施形態の変形例に係る接続部の要部の断面図。
【図１０】第１実施形態の変形例に係る接続部の要部の断面図。
【図１１】第１実施形態の変形例に係る接続部の要部の断面図。
【図１２】第１実施形態の変形例に係る接続部の要部の断面図。
【図１３】第１実施形態の変形例に係る接続部の要部の断面図。
【図１４】第２実施形態に係る接続部の構成例を示す分解斜視図。
【図１５】第２実施形態に係る接続部の装着状態を示す図５のＹＺ面断面図。
【図１６】第３実施形態に係る接続部の構成例を示す分解斜視図。
【図１７】第３実施形態に係る接続部の装着状態を示す図５のＹＺ面断面図。
【図１８】背景技術の電子機器本体の概略構成を示す図１のＹＺ面断面図。
【発明を実施するための形態】
【００３４】
以下、本発明の実施形態について、図面を参照して説明する。なお、以下の各図においては、各層や各部材を認識可能な程度の大きさにするため、各層や各部材の尺度を実際とは異ならせしめている。
【００３５】
（第１実施形態）
本明細書では、本発明による携帯型電子機器としてリスト機器を例示して説明する。以下、説明の便宜上、リスト機器の表示部側を表（表側）、表示部側と反対側（装着時にユーザーに接する側）を裏（裏側）として説明することがある。なお、以下の形態に係るリスト機器は、ランナーズウォッチ、デュアスロンやトライアスロン等マルチスポーツ対応のランナーズウォッチ、および衛星測位システム、例えばＧＰＳを搭載したＧＰＳウォッチ、などに広く適用できる。
【００３６】
［リスト機器の構成］
先ず、本発明による携帯型電子機器の実施形態に係るリスト機器１０００の構成について、図１、図２および図３を参照して説明する。図１は、携帯型電子機器バンドを用いた携帯型電子機器としてのリスト機器１０００の構成例を示す上面（表側）斜視図である。図２は、リスト機器１０００の下面（裏側）の斜視図である。図３は、リスト機器１０００の電子機器本体１００の概略構成を示す図１のＹＺ面の断面図である。なお、図１、図２および図３では、説明の便宜上、それぞれ直交する３軸をＸ軸、Ｙ軸、Ｚ軸を使用して説明し、後述する風防板７２（図３参照）の面に垂直な軸をＺ軸、ケースを挟むように配置されている一対のバンド部（図１、図２に示す第１バンド１０および第２バンド２０）が並ぶ方向をＹ軸としている。そして、Ｚ軸、Ｙ軸と直交する方向をＸ軸としている。また、以下において「軸方向」とは、「軸に沿う方向」を意味する。
【００３７】
図１、図２および図３に示すように、携帯型電子機器（ウェアラブル型電子機器）の一例としてのリスト機器１０００は、ユーザー（装着者）の身体の所与の部位（例えば、手首）に装着され、ユーザーの位置情報や運動情報などを検出することができる。なお、リスト機器１０００には、ユーザーの位置情報や運動情報に加えて、例えば脈波情報などの生体情報を検出する機能や時刻情報などを取得する機能を設けることができる。
【００３８】
リスト機器１０００は、ユーザーに装着されて位置情報や運動情報などを検出する電子機器本体１００と、電子機器本体１００を挟んで両側に取り付けられた電子機器本体１００をユーザーに装着するための一対のバンド（携帯型電子機器バンド）とを有している。携帯型電子機器バンドとしての一対のバンドは、一方のバンドとしての第１バンド１０と、他方のバンドとしての第２バンド２０と、を含んで構成されている。また、リスト機器１０００は、図１、図２および図３の構成に限定されず、これらの一部の構成要素を省略したり、他の構成要素を追加するなどの種々の変形実施が可能である。
【００３９】
電子機器本体１００は、裏側にボトムケース（蓋部）７１が配置されてボトムケース７１の表側には、Ｚ軸方向に沿って開口した開口部を含むトップケース７０を含んで構成されている。ボトムケース７１のＹ軸方向に沿った両端部には、第１バンド１０および第２バンド２０が一対のバンド装着部（不図示）を介して装着されている。
【００４０】
電子機器本体１００は、トップケース７０の開口部に設けられた風防板７２の内側に液晶ディスプレイ（ＬＣＤ）などで構成される表示部８０が配置されており、風防板７２を透過してユーザーが表示部８０を視認することが可能である。つまり、本実施形態のリスト機器１０００では、検出した位置情報や運動情報、或いは、時刻情報などの種々の情報を表示部８０に表示し、当該表示を電子機器本体１００の表側からユーザーに提示することができる。
【００４１】
トップケース７０の外側面には、操作ボタン９０，９１，９２，９３が配置されている。操作ボタン９０，９１，９２，９３を操作することにより、電子機器本体１００の内部に収容された図示しない電子装置を通じて、表示部８０に表示される種々の情報を切り換えることができる。
【００４２】
次に、図１を用いて一方のバンドとしての第１バンド１０について説明する。第１バンド１０は、接続部１０ａおよび取付け部１０ｂを含み構成されている。取付け部１０ｂは、第１バンド１０のボトムケース７１側の端部に設けられており、図示しないばね棒などを用いて、電子機器本体１００に第１バンド１０を回転可能に取り付けている。接続部１０ａは、第１バンド１０の取付け部１０ｂと反対側の端部に設けられており、一方の面としてのバンド表面１０ｆに設けた第１の突起部としての第１突起部１０ｃおよび第２の突起部としての第２突起部１０ｄと、を含み構成されている。さらに、接続部１０ａは、第１突起部１０ｃと第２突起部１０ｄとの間に配置され、第１の突起部と第２の突起部とが並んでいる方向に沿って貫通している貫通孔１０ｇを有したバンド保持部１０ｅを含んで構成されており、貫通孔１０ｇには後述する第２バンド２０の剣先２０ａを挿入することができる。つまり、第１バンド１０の端部から取付け部１０ｂに向かって第２突起部１０ｄ、バンド保持部１０ｅ、第１突起部１０ｃの順にバンド表面１０ｆに設置されている。
【００４３】
また、接続部１０ａが配置された第１バンド１０の内部には、Ｙ軸方向から見た平面視で、第１突起部１０ｃおよび第２突起部１０ｄと、バンド保持部１０ｅと、に重なる領域に、第１バンド１０の他の領域よりも曲げ剛性が高い材料を用いて構成された支持部３０が配置されている。
【００４４】
次に、図２を用いて他方のバンドとしての第２バンド２０について説明する。第２バンド２０は、剣先２０ａと、第１突起部１０ｃが挿入される第１の連結孔および第２突起部１０ｄが挿入される第２の連結孔としての連結孔２０ｂと、取付け部２０ｃとを含み構成されている。取付け部２０ｃは、第２バンド２０のボトムケース７１側の端部に設けられており、図示しないばね棒などを用いて、電子機器本体１００に第２バンド２０を回転可能に取り付けている。剣先２０ａは、第２バンド２０の取付け部２０ｃと反対側の端部に設けられており、バンド保持部１０ｅの貫通孔１０ｇに挿入し易くするために先細りの形状をしている。連結孔２０ｂは、第２バンド２０の表面と裏面とを貫通する孔で空けられており、第１突起部１０ｃと第２突起部１０ｄとが連結孔２０ｂに挿入することができる。連結孔２０ｂは、剣先２０ａから取付け部２０ｃに向かって第１突起部１０ｃと第２突起部１０ｄとの間隔に対応して複数設けられており、ユーザーの被装着部位２００（図５参照）の太さに合わせて適切な連結孔２０ｂを選択することにより、第１バンド１０と第２バンド２０との接続位置を調整してリスト機器１０００を被装着部位２００に適度な締め付け具合で装着することができる。
【００４５】
第１バンド１０と第２バンド２０との製造時の形状は、図１、図２および図３に図示するような第１バンド１０および第２バンド２０の長手方向に直線状に伸びた、つまり、平坦な形状で射出成形などの製造方法を用いて製造されている。よって、リスト機器１０００を被装着部位２００に取り付ける際には、第１バンド１０と第２バンド２０とを装着前の平坦な形状から被装着部位２００の形状に沿って環状に変形させて被装着部位２００に装着する。
【００４６】
次に、図３を用いて電子機器本体１００をさらに詳細に説明する。電子機器本体１００は、ケースを構成するトップケース７０およびボトムケース７１と、トップケース７０の開口部を塞ぐ風防板７２と、に囲まれたケースの内側に密閉空間である内部空間７３が設けられている。電子機器本体１００の表側（トップケース７０側）には、開口部が設けられており、開口部には、内部空間７３を保護する天板部分（外壁）である透明な基板としての風防板７２（本例ではガラス板）が設けられている。風防板７２は、図中Ｚ軸方向から見た平面視で、トップケース７０の開口部を塞ぐように配置されている。また、電子機器本体１００の裏側（ボトムケース７１側）には、被装着部位２００側に突出して構成された生体センサー部７１ｂが設けられている。ボトムケース７１の中央部には開口部が設けられており、透明性を有する透明部材７１ａ（本例では、プラスチック材）が取り付けられている。
【００４７】
内部空間７３には、電子機器本体１００を構成する要素部品である、例えば表示部８０、生体センサー８１、回路基板８２、加速度センサー８３、二次電池８４および振動部８５などが収納されている。ただし、電子機器本体１００は、図３に示す構成に限定されず、例えば、ＧＰＳ（Global Positioning System）アンテナおよび標高などを算出するための気圧センサーなどの他のセンサーや電子部品などを追加してもよい。また、回路基板８２には、電子機器本体１００を構成する要素部品や表示部８０などを制御する制御回路および駆動回路などが設けられている。
【００４８】
生体センサー８１は、透明部材７１ａに近接した内部空間７３に設けられており、生体センサー８１から被装着部位２００に光を照射して、その反射光の変化を読み取ることで脈波情報を取得して回路基板８２へ伝達している。つまり、生体センサー８１から被装着部位２００に向けて光が透明部材７１ａを透過して照射され、被装着部位２００からの反射光が再び透明部材７１ａを透過して、生体センサー８１で受光される。よって、安定した脈波情報を取得するためには、被装着部位２００に生体センサー部７１ｂを安定的に継続して密着させる必要がある。
【００４９】
ケース部を構成するトップケース７０およびボトムケース７１は、例えばステンレススチールなどの金属、もしくは樹脂などによって形成されている。また、ケース部の構成は、トップケース７０とボトムケース７１とに分離される様態のものでなくてもよく、一体構造のケース（トップケース７０に相当する）と、該ケースの裏側に、裏蓋（ボトムケース７１に相当する）が設けられている構成でもよい。
【００５０】
電子機器本体１００の天板部分の風防板７２は、ガラス板に限らず表示部８０を閲覧可能な透明部材であり、且つ、表示部８０を構成する液晶ディスプレイ（ＬＣＤ）などのトップケース７０とボトムケース７１とで構成される内部空間７３に収容される構成を保護可能な程度の強度を有する部材であればよく、透明のプラスチック材など、ガラス以外の材料を用いることができる。
【００５１】
生体センサー部７１ｂに取り付けられる透明部材７１ａは、透明なプラスチック材に限られず生体センサー８１から被装着部位２００に向けて照射される光と、被装着部位２００から反射された光とが透過すればよく、ガラスなど、透明なプラスチック材以外の材料を用いることができる。
【００５２】
第１バンド１０および第２バンド２０に用いる弾性部材は、例えばウレタン樹脂、シリコーン樹脂、エラストマー樹脂、フッ素樹脂、ポリスチレン樹脂、ポリウレタン樹脂などの材料によって形成されることが好ましい。また、第１バンド１０および第２バンド２０の製造に用いる金型は、金型を安価に製作するために複雑な構造を不要とした、バンドの長手方向に伸びた平坦な形状で製作されている。従って、この金型を用いて製造される第１バンド１０および第２バンド２０の初期形状（装着前形状）は、金型形状に準じた平坦な形状で構成されている。従って、第１バンド１０と第２バンド２０とが変形すると常に初期形状に復帰しようとする弾性反発力が生じる。
【００５３】
［接続部の構成］
次に、第１実施形態に係る第１バンド１０に設けた接続部１０ａと、第２バンド２０に設けた連結孔２０ｂとの構成について図４を用いて説明する。図４は、リスト機器１０００に備えられた第１実施形態に係る接続部１０ａと連結孔２０ｂとの構成例を示す分解斜視図である。また、実施形態において、説明の便宜上、接続部１０ａの被装着部位２００側を裏側、被装着部位２００側と反対側を表側として説明することがある。また、第１バンド１０の長手方向と交差し、第１突起部１０ｃおよび第２突起部１０ｄが突出する方向をＡ方向とし、第１バンド１０の長手方向をＢ方向として説明する。
【００５４】
接続部１０ａは、第１突起部１０ｃおよび第２突起部１０ｄと、バンド保持部１０ｅとを含んで構成されている。第１突起部１０ｃおよび第２突起部１０ｄの突起形状は、第１突起部１０ｃおよび第２突起部１０ｄの突出方向に沿ったＡ方向から見た平面視で、円形状に構成されており、突起形状のバンド表面１０ｆからの突出量は、第２バンド２０のバンド厚みよりも高く構成されている。よって、後述する連結孔２０ｂに第１突起部１０ｃおよび第２突起部１０ｄを挿入すると第２バンド２０の表面から第１突起部１０ｃおよび第２突起部１０ｄの頭部が突出する構成となる。
【００５５】
バンド保持部１０ｅは、第１突起部１０ｃと第２突起部１０ｄとの間に配置されており、バンド保持部１０ｅに設けられた貫通孔１０ｇは、Ｂ方向に沿って開口形状が形成されている。そして、第２バンド２０の剣先２０ａをＢ方向に沿って貫通孔１０ｇに挿入することができる。貫通孔１０ｇの開口形状は、第２バンド２０を挿入した際に、第２バンド２０との間にすき間を有するように構成されている。よって、第２バンド２０を貫通孔１０ｇに挿入する際には、容易に挿入することができ、且つ、第２バンド２０の長手方向に沿った動きを妨げることなく第２バンド２０を保持することができる。
【００５６】
接続部１０ａの内部には、支持部３０が第１バンド１０と一体的に形成されている。つまり、支持部３０が第１突起部１０ｃから第２突起部１０ｄに亘ってＢ方向に沿って構成されて、接続部１０ａの内部に２色成形法やインサート成形などの手法を用いて形成することにより、支持部３０が第１バンド１０で覆われて第１バンド１０と一体的に形成されている。
【００５７】
次に、第２バンド２０の連結孔２０ｂについて説明する。第２バンド２０には、連結孔２０ｂが第２バンド２０の長手方向に沿って一定の間隔で複数設けられている。連結孔２０ｂは、第２バンド２０の表側と裏側とを貫通し、連結孔２０ｂのＡ方向から見た平面視での孔形状は、第１突起部１０ｃおよび第２突起部１０ｄの突起形状に沿った円形状に構成されている。よって、連結孔２０ｂに第１突起部１０ｃおよび第２突起部１０ｄを挿入することができる。また、連結孔２０ｂは、第１突起部１０ｃと第２突起部１０ｄとの間隔に対応して配置されているため、第１突起部１０ｃに連結孔２０ｂを挿入すると、第２突起部１０ｄの位置に対応した連結孔２０ｂに第２突起部１０ｄを挿入することができる。
【００５８】
次に、第１実施形態に係る接続部１０ａと、連結孔２０ｂとを用いて電子機器本体１００を被装着部位２００に装着した形態を、図５および図６を参照して説明する。図５は、第１実施形態に係る接続部１０ａと、連結孔２０ｂとを有するリスト機器１０００の装着状態を示す図１のＹＺ面断面図である。図６は、第１実施形態に係る接続部１０ａと、連結孔２０ｂとの装着状態を示す図５の接続部の断面図である。なお、図６以降図１３までは、図４と同様に、第１突起部１０ｃおよび第２突起部１０ｄが突出する方向をＡ方向とし、第１バンド１０の長手方向をＢ方向として説明する。
【００５９】
図５に示すように、リスト機器１０００の電子機器本体１００の両端部に取り付けられた一対の第１バンド１０および第２バンド２０が、装着前の平坦な形状から被装着部位２００の形状に沿わせて環状に変形して被装着部位２００に装着されている。そして、第２バンド２０がバンド保持部１０ｅに保持されて、第１突起部１０ｃおよび第２突起部１０ｄが連結孔２０ｂに挿入されている。
【００６０】
次に、被装着部位２００に装着された接続部１０ａと、連結孔２０ｂとの構成について図６を用いて説明する。第１突起部１０ｃおよび第２突起部１０ｄと、連結孔２０ｂとは締め代を有して連結されている。連結孔２０ｂに第１突起部１０ｃおよび第２突起部１０ｄが挿入される前の形状を２点鎖線で示す。よって、連結孔２０ｂに第１突起部１０ｃおよび第２突起部１０ｄを挿入すると、締め代により第１突起部１０ｃおよび第２突起部１０ｄを連結孔２０ｂが締め付けることにより保持することができる。さらに、第１突起部１０ｃおよび第２突起部１０ｄとの間にバンド保持部１０ｅが配置されて、貫通孔１０ｇに第２バンド２０が保持される。すると、第２バンド２０が第１バンド１０に重なるように配置されて、第２バンド２０は弾性反発力により平坦な形状を保持しようとするため、第１突起部１０ｃおよび第２突起部１０ｄから第２バンド２０が反り上がり連結孔２０ｂが外れてしまうことを防ぐことができる。つまり、バンド保持部１０ｅを第１突起部１０ｃおよび第２突起部１０ｄの近傍に配置することにより、第２バンド２０の平坦な形状を保持しようとする弾性反発力を利用して、バンド保持部１０ｅが第２バンド２０のＡ方向への逃げを防止することができる。よって、第１突起部１０ｃおよび第２突起部１０ｄから連結孔２０ｂが外れてしまうことを防ぐことができる。
【００６１】
支持部３０は、接続部１０ａの内部に構成されて第１バンド１０の装着前の平坦な形状に沿って形成されているため、平坦な直線状の形状を保持したまま被装着部位２００に装着される。また、支持部３０が第１突起部１０ｃから第２突起部１０ｄに亘って構成されているため、第１突起部１０ｃおよび第２突起部１０ｄに接続された第２バンド２０も支持部３０の形状に沿って直線状に構成されている。
【００６２】
バンド表面１０ｆの反対側の他方の面としてのバンド裏面１０ｈは、第１バンド１０および第２バンド２０と交差する方向であるＺ軸方向に向けて凹状に湾曲している。そのため、第１バンド１０を被装着部位２００の被装着面ＳＦの形状と相似形状に構成することができるため、バンド裏面１０ｈと被装着面ＳＦとを密着させることができる。
【００６３】
接続部１０ａに一体的に形成される支持部３０に用いる材料は、第１バンド１０および第２バンド２０よりも曲げ剛性が高い材料を用いている。例えば、第１バンド１０の材料よりも高強度材料であるＡＢＳ樹脂、ポリカーボネート樹脂、ナイロン樹脂、ガラス繊維強化樹脂などの材料を用いて２色成形法により第１バンド１０と一体的に形成されることが好ましい。また、より曲げ剛性に優れた金属材料を用いて構成することもできる。例えば、耐食性に優れたステンレススチール材、チタン材などを用いて、インサート成形法により第１バンド１０と一体的に形成することもできる。金属材料を用いることで、第１バンド１０と第２バンド２０との締め付け具合によって変形することなく略直線状に保って、第１バンド１０と第２バンド２０とを構成することができる。
【００６４】
図５および図６に示すように、第１バンド１０および第２バンド２０を構成して被装着部位２００に装着することにより、第１バンド１０および第２バンド２０を支持部３０の形状に沿った略直線状に構成することができる。そのため、第１バンド１０と第２バンド２０とが装着前の形状に戻ろうとして生じる反発力Ｆ１，Ｆ２を低減させることができる。従って、反発力Ｆ１，Ｆ２を押えて運動時などに起因する衝撃や振動などにより、電子機器本体１００が被装着部位２００から持ち上がってしまうことを防ぐことができ、運動中でも電子機器本体１００の生体センサー８１を被装着部位２００に密着させて生体情報の取得精度を向上することができる。
【００６５】
［携帯型電子機器の取付け方法］
次に、第１バンド１０と第２バンド２０とを用いて、リスト機器１０００を被装着部位２００に装着する取付け方法について説明する。まず、リスト機器１０００の電子機器本体１００を所望の取り付け位置に配置する。次に、第１バンド１０と第２バンド２０とを平坦な形状から被装着部位２００の形状に沿わせながら環状に変形させる。そして、剣先２０ａを貫通孔１０ｇに挿入し、電子機器本体１００の取り付け（締め付け）具合を確認しながら複数設けられた連結孔２０ｂから適切な連結孔２０ｂを選択し、連結孔２０ｂに第１突起部１０ｃと第２突起部１０ｄとを挿入する。このような取付け方法により第１バンド１０と第２バンド２０とが連結されて、リスト機器１０００を被装着部位２００に装着することができる。
【００６６】
以上、説明したように、接続部１０ａに支持部３０を一体的に形成した第１バンド１０の第１突起部１０ｃおよび第２突起部１０ｄを、第２バンド２０の連結孔２０ｂに挿入することで接続し、電子機器本体１００を被装着部位２００に装着することにより、第１バンド１０と第２バンド２０とを略直線状に構成して被装着面ＳＦと略相似形状に構成することができる。そのため、第１バンド１０と第２バンド２０とが装着前の平坦な形状に戻ろうとして生じる反発力Ｆ１，Ｆ２を低減させることができる。よって、反発力Ｆ１，Ｆ２による被装着面ＳＦからの電子機器本体１００の持ち上がりを防ぐことができ、電子機器本体１００の裏側に配置された生体センサー部７１ｂと被装着面ＳＦとのすき間の発生を防いで、ランニングやウォーキングなどの運動時でも生体センサー８１による生体情報の取得精度を向上させることができる。
【００６７】
また、バンド裏面１０ｈを被装着面ＳＦに沿って凹状に湾曲するように構成することにより、第１バンド１０を被装着部位２００の形状に沿った相似形状にすることができるため、第１バンド１０を被装着面ＳＦに密着させて、第１バンド１０を安定的に被装着部位２００に装着することができる。従って、運動時においても電子機器本体１００を安定的に被装着部位２００に密着させて装着することができる。
【００６８】
［変形例１］
次に、第１実施形態に係る接続部の変形例１について、図７および図８を用いて説明する。図７および図８は、リスト機器１０００が被装着部位２００に装着された状態の接続部の要部の平面図である。なお、本変形例に係る接続部１０ａは、第１実施形態に係る接続部１０ａに対して、第１突起部１１ａ，１２ａの形状が異なる。従って、第１実施形態に係る接続部１０ａと同じ構成要素については同じ符号を付し、説明は省略する。
【００６９】
図７に示す第１突起部１１ａは、図６に図示したＡ方向から見た平面視で長方形状に形成され、長方形状の長手方向は、第１バンド１０の長手方向であるＢ方向に沿って配置されている。図８に示す第１突起部１２ａは、Ａ方向から見た平面視で、長円形状に形成されて、長円形状の長手方向は、第１バンド１０の長手方向であるＢ方向に沿って配置されている。また、第２バンド２０に設けられた連結孔２１ａ，２２ａは、第１突起部１１ａ，１２ａの外形に略相似形状に形成されており、連結孔２１ａ，２２ａと第１突起部１１ａ，１２ａとは締め代を有している。連結孔２１ａ，２２ａに第１突起部１１ａ，１２ａが挿入される前の形状を２点鎖線で示す。
【００７０】
以上、説明したように、第１突起部１１ａ，１２ａを第１バンド１０の長手方向（Ｂ方向）に沿った長方形状または長円形状で設けることにより、第１バンド１０と第２バンド２０が被装着部位２００から外れてしまうことを防ぐことができる。つまり、電子機器本体１００が運動に起因する衝撃などにより、第１バンド１０と第２バンド２０とがそれぞれの長手方向に沿って引っ張られた際に、第１突起部１１ａ，１２ａが引っ張られた方向に傾くことを防いで、第１突起部１１ａ，１２ａが連結孔２１ａ，２２ａから抜けてしまうことを防ぐことができる。
【００７１】
［変形例２］
次に、第１実施形態に係る接続部の変形例２について、図９および図１０を用いて説明する。図９および図１０は、リスト機器１０００が被装着部位２００に装着された状態の接続部の要部の断面図である。なお、本変形例に係る連結孔２３ａ，２４ａは、第１実施形態に対して、連結孔２３ａ，２４ａの形状が異なる。従って、第１実施形態と同じ構成要素については、同じ符号を付し、説明は省略する。
【００７２】
図９に示す第２バンド２３に設けた連結孔２３ａの内周面には、長方形状の断面を持つ溝２３ｂが設けられており、連結孔２３ａと第１突起部１０ｃとは締め代を有している。連結孔２３ａに第１突起部１０ｃが挿入される前の形状を２点鎖線で示す。連結孔２３ａと第１突起部１０ｃとは締め代を有しているため、第１突起部１０ｃの外周面と、溝２３ｂの角部とが引っ掛かり、第１突起部１０ｃが連結孔２３ａから抜けてしまうことを防ぐことができる。
【００７３】
また、図１０に示すように第２バンド２４に設けた連結孔２４ａの内周面に、第１バンド１０側に直角部２４ｃを有する三角形の断面で形成された溝２４ｂを設けることにより、第１突起部１０ｃを連結孔２４ａに挿入する際には挿入し易くなり、第１突起部１０ｃが連結孔２４ａから抜く際には、直角部２４ｃと第１突起部１０ｃとが引っ掛かり第１突起部１０ｃを抜けにくくすることができる。
【００７４】
［変形例３］
次に、第１実施形態に係る接続部の変形例３について、図１１から図１３を用いて説明する。図１１から図１３は、第１バンド１３，１４，１５と第２バンド２０とが被装着部位２００に装着された状態の接続部の要部の断面図である。なお、本変形例に係る第１突起部１３ａ，１４ａ，１５ａは、第１実施形態に対して、第１突起部１３ａ，１４ａ，１５ａの形状が異なる。従って、第１実施形態と同じ構成要素については、同じ符号を付し説明は省略する。
【００７５】
図１１に示す第１突起部１３ａは、第１突起部１３ａの外周部に径方向に突出した突起１３ｂが設けられており、連結孔２０ｂと突起１３ｂとは締め代を有している。連結孔２０ｂに第１突起部１３ａを挿入する前の形状を２点鎖線で示す。突起１３ｂにより連結孔２０ｂの内周中央部が部分的に変形して引っ掛かり部２０ｄが形成される。そのため、連結孔２０ｂから第１突起部１３ａが外れてしまうことを防ぐことができる。
【００７６】
また、図１２に示すように、第１突起部１４ａは、第１突起部１４ａの外周面に第１バンド１０側と反対側に直角部１４ｂを有する三角形の断面を持つ溝１４ｃが設けられている。第１突起部１３ａと連結孔２０ｂとの間には締め代を有しているため、溝１４ｃに連結孔２０ｂが部分的に入り込み引っ掛かり部２０ｅが形成される。そのため、引っ掛かり部２０ｅによって連結孔２０ｂから第１突起部１４ａが外れてしまうことを防ぐことができる。
【００７７】
次に、図１３に示すように、第１突起部１５ａは、第１突起部１５ａの先端部に付け根部よりも大きな外径を有する張り出し部１５ｂが設けられている。張り出し部１５ｂの外径は、連結孔２０ｂの内径よりも大きな形状で形成されているため、第１突起部１５ａから連結孔２０ｂが容易に抜けないようにすることができる。また、張り出し部１５ｂの第２バンド２０側と反対側には斜面１５ｃが設けられており、第１突起部１５ａに連結孔２０ｂを挿入し易く構成している。
【００７８】
以上、説明したように第１突起部１３ａ，１４ａ，１５ａの外周面、または連結孔２３ａ，２４ａの内周面に突起または溝を設けて構成することにより、第１バンド１０と第２バンド２０との結合力を高めることができる。従って、運動の衝撃に起因して第１バンド１０と第２バンド２０との接続が外れてしまうことを防ぐことができるため、電子機器本体１００を安定的に被装着部位２００に密着させることができる。
【００７９】
また、当変形例では第１突起部１３ａ，１４ａ，１５ａを用いて説明したが、第２突起部１０ｄにおいても第１突起部１３ａ，１４ａ，１５ａと同様の構成で突起や溝を設けることにより、第１バンド１０と、第２バンド２０との結合力を高めることができる。
【００８０】
（第２実施形態）
［接続部材の構成］
次に、第２実施形態に係る第１バンド１６、第２バンド２５および接続部材４０について、図１４および図１５を用いて説明する。図１４は、リスト機器１０００に備えられた第２実施形態に係る第１バンド１６、第２バンド２５および接続部材４０の構成例を示す分解斜視図である。図１５は、第２実施形態に係る第１バンド１６および第２バンド２５と、接続部材４０と、が被装着部位２００に装着された状態を示す図５のＹＺ面断面図である。また、本実施形態の説明において、説明の便宜上、接続部材４０の被装着部位２００側を裏側および被装着部位２００側と反対側を表側とし、第１バンド１０の長手方向と交差し、第３突起部４０ａおよび第４突起部４０ｂが突出する方向をＡ方向として説明する。さらに、第１バンド１６の剣先方向をＢ方向とし、Ｂ方向と反対側の方向をＣ方向として説明する。なお、本実施形態は、第１実施形態に対して、第１バンド１６および第２バンド２５が接続部材４０で接続されている構成が異なる。そのため、第１実施形態に係る同じ構成要素には同じ付番を付し説明は省略する。
【００８１】
接続部材４０は、一方の面としての部材表面４０ｄから一対の第３の突起部としての第３突起部４０ａと、第４の突起部としての第４突起部４０ｂとがＡ方向に沿って突出して設けられている。第３突起部４０ａおよび第４突起部４０ｂは、Ａ方向から見た平面視で、円形状に構成されており、部材表面４０ｄからの突出量は第１バンド１６と、第２バンド２５とを重ねた厚みよりも高く構成されている。よって、後述する連結孔１６ｂおよび連結孔２５ｂを、第３突起部４０ａおよび第４突起部４０ｂに挿入すると、第３突起部４０ａと第４突起部４０ｂの頭部が第１バンド１６および第２バンド２５から突出する構成となる。
【００８２】
接続部材４０は、第３突起部４０ａと第４突起部４０ｂとの間にバンド保持部４０ｃが配置されて、バンド保持部４０ｃは、第３突起部４０ａと第４突起部４０ｂとが並んでいる方向に沿って貫通している貫通孔４０ｅが設けられている。貫通孔４０ｅの開口形状は、第１バンド１６と第２バンド２５とが重なった状態の断面形状に対して、すき間を設けて構成されているため、貫通孔４０ｅに第１バンド１６と第２バンド２５とを容易に挿入することができ、第１バンド１６と第２バンド２５とをバンド保持部４０ｃにより保持することができる。
【００８３】
接続部材４０は、Ａ方向から見た平面視で、第３突起部４０ａおよびバンド保持部４０ｃと第４突起部４０ｂとに重なる領域に、第１バンド１６および第２バンド２５よりも曲げ剛性が高い支持部３１が配置されている。支持部３１は、接続部材４０の長手方向に沿った略直線状に形成されており、支持部３１が第３突起部４０ａから第４突起部４０ｂに亘って構成されて、接続部材４０の内部に２色成形法やインサート成形法により接続部材と一体的に形成されている。また、接続部材４０の部材表面４０ｄと反対側の部材裏面４０ｆは、Ａ方向と反対方向（被装着面ＳＦ）に向かって凹状に湾曲するように構成されている。
【００８４】
次に、第１バンド１６について説明する。第１バンド１６には、第３の連結孔としての連結孔１６ｂが第１バンド１６の長手方向に沿って第１の剣先としての剣先１６ａから一定の間隔で複数設けられている。連結孔１６ｂは、第１バンド１６の表側と裏側とを貫通するように空けられており、Ａ方向から見た平面視で、第３突起部４０ａおよび第４突起部４０ｂと略相似形状の円形の形状で構成されている。従って、連結孔１６ｂに第３突起部４０ａおよび第４突起部４０ｂを挿入することができる。また、連結孔１６ｂは、第３突起部４０ａおよび第４突起部４０ｂの位置に対応して配置されているため連結孔１６ｂに第３突起部４０ａを挿入すると、第４突起部４０ｂの位置に対応した連結孔１６ｂに第４突起部４０ｂを挿入することができる。
【００８５】
次に、第２バンド２５について説明する。第２バンド２５には、第１バンド１６に設けた第４の連結孔としての連結孔１６ｂと同様の位置配置に構成された連結孔２５ｂが設けられている。連結孔２５ｂは、第１バンド１６と同様に、第２バンド２５の長手方向に沿って一定の間隔で複数設けられているため、連結孔２５ｂに第３突起部４０ａを挿入すると、第４突起部４０ｂの位置に対応した連結孔２５ｂに第４突起部４０ｂを挿入することができる。従って、第１バンド１６および第２バンド２５を、第３突起部４０ａおよび第４突起部４０ｂにより貫く構成とすることで接続することができる。
【００８６】
このように曲げ剛性が高い支持部３１を配置した接続部材４０を用いて、第１バンド１６と、第２バンド２５とを接続して被装着部位２００に装着した際に、第１バンド１６と第２バンド２５とを略直線状に構成された支持部３１の形状に沿って配置することができる。
【００８７】
また、変形例１〜３で説明した第１突起部１３ａ，１４ａ，１５ａの構成を、第３突起部４０ａおよび第４突起部４０ｂに同様に設けることにより、第１バンド１６と、第２バンド２５との結合力を高めることができる。
【００８８】
［携帯型電子機器の取付け方法］
次に、上述した第２実施形態に係る第１バンド１６および第２バンド２５と接続部材４０と、を用いて、リスト機器１０００を被装着部位２００に装着する際の取付け方法について、図１５を用いて説明する。
【００８９】
リスト機器１０００の電子機器本体１００を所定の取り付け位置に配置する。次に、第１バンド１６と、第２バンド２５とを平坦な形状から被装着部位２００の形状に沿わせながら環状に変形させる。そして、第１バンド１６の第１の剣先としての剣先１６ａを一方の方向としてのＢ方向に沿って貫通孔４０ｅに挿入し、電子機器本体１００の取り付け位置を確認しながら、所望の連結孔１６ｂに、第３突起部４０ａおよび第４突起部４０ｂを挿入する。続いて第２バンド２５の第２の剣先としての剣先２５ａをＢ方向と反対側の他方の方向としてのＣ方向に沿って貫通孔４０ｅに挿入する。つまり、第１バンド１６と第２バンド２５とは、対向する方向に沿ってそれぞれが貫通孔４０ｅに挿入されて、重なるように配置されてバンド保持部４０ｃで保持される。次に、電子機器本体１００の締め付け具合を確認しながら、所望の連結孔２５ｂに、第３突起部４０ａおよび第４突起部４０ｂを挿入する。このように取り付けることにより、第１バンド１６と、第２バンド２５とが接続部材４０で連結されて、リスト機器１０００を被装着部位２００に装着することができる。
【００９０】
接続部材４０に用いる材料は、例えばウレタン樹脂、シリコーン樹脂、エラストマー樹脂、フッ素樹脂、ポリスチレン樹脂、ポリウレタン樹脂などの材料によって形成されることが好ましい。これらの材料を用いることにより、第３突起部４０ａと第４突起部４０ｂとを容易に形成することができる。また、第１バンド１６および第２バンド２５に用いられる材料と同じ材料を用いることで、接続部材４０を目立たせることなく構成することができる。
【００９１】
以上、説明したように電子機器本体１００を曲げ剛性の高い支持部３１を含む接続部材４０を用いて、第１バンド１６と第２バンド２５とを接続して被装着部位２００に装着する。すると、第１バンド１６と第２バンド２５とが被装着面ＳＦと略相似形状になり、第１バンド１６と第２バンド２５とを被装着部位２００に装着する際に生じる反発力Ｆ１，Ｆ２とを低減させることができる。よって、反発力Ｆ１，Ｆ２による電子機器本体１００の浮き上がりを防いで、運動時においても電子機器本体１００を被装着部位２００に密着させることができ、安定的に運動時の生体情報を取得することができる。
【００９２】
また、接続部材４０の部材裏面４０ｆが凹状に構成されることにより、接続部材４０を被装着部位２００に密着させて、電子機器本体１００を安定的に被装着部位２００に保持することができる。よって、運動時においても電子機器本体１００を安定的に被装着部位２００に密着させて装着することができる。
【００９３】
（第３実施形態）
［接続部材の構成］
次に、第３実施形態に係る第１バンド１６および第２バンド２５と、接続部材４１とについて、図１６および図１７を用いて説明する。図１６は、リスト機器１０００に備えられた第３実施形態に係る第１バンド１６および第２バンド２５と、接続部材４１との構成例を示す分解斜視図である。図１７は、第３実施形態に係る第１バンド１６および第２バンド２５と、接続部材４１と、が被装着部位２００に装着された状態を示す図５のＹＺ面断面図である。また、実施形態の説明において、説明の便宜上、接続部材４１の被装着部位２００側を裏側および被装着部位２００側と反対側を表側とし、第１バンド１６の長手方向と交差する方向で第５突起部４１ａおよび第６突起部４１ｂが突出する方向をＡ方向とし、Ａ方向と反対側の第７突起部４１ｃおよび第８突起部４１ｄが突出する方向をＤ方向として説明する。さらに、第１バンド１６の電子機器本体１００との取付け部から剣先方向をＢ方向とし、第２バンド２５の電子機器本体１００との取付け部から剣先方向をＣ方向として説明する。なお、本実施形態は、第２実施形態に対して、接続部材４１の構成が異なる。そのため、第２実施形態に係る同じ構成要素には、同じ付番を付し説明は省略する。
【００９４】
接続部材４１は、一方の面としての部材表面４１ｍ側には一対の第５の突起部としての第５突起部４１ａと第６の突起部としての第６突起部４１ｂとが、Ａ方向に沿って突出して設けられている。第５突起部４１ａと第６突起部４１ｂとは、Ａ方向から見た平面視で、円形状に構成されており、部材表面４１ｍからの突出量は第１バンド１６のバンド厚みよりも高く構成されている。よって、後述する第１バンド１６に設けた連結孔１６ｂに第５突起部４１ａと第６突起部４１ｂとが挿入されると、第５突起部４１ａと第６突起部４１ｂとの頭部が第１バンド１６から突出する構成となる。
【００９５】
また、接続部材４１は、第５突起部４１ａと第６突起部４１ｂとの間に配置され、第１のバンド保持部としての第１バンド保持部４１ｋが配置されている。第１バンド保持部４１ｋは、第５突起部４１ａと第６突起部４１ｂとが並んでいる方向に沿って貫通した第１の貫通孔としての貫通孔４１ｅを含んで構成されている。貫通孔４１ｅの開口形状は、第１バンド１６を挿入した際に、第１バンド１６との間にすき間を有するように構成されているため、第１バンド１６の剣先１６ａが容易に挿入することができ、且つ、第１バンド１６の長手方向に沿った動きを妨げることなく第１バンド１６を保持することができる。
【００９６】
接続部材４１の他方の面としての部材裏面４１ｊは、部材表面４１ｍと反対側に配置されている。そして、部材裏面４１ｊ側には、第５突起部４１ａおよび第６突起部４１ｂと同様の構成を有する第７の突起部としての第７突起部４１ｃおよび第８の突起部としての第８突起部４１ｄがＤ方向に沿って突出して設けられている。つまり、被装着部位２００側の部材裏面４１ｊに第７突起部４１ｃおよび第８突起部４１ｄが設けられて、被装着部位２００側と反対側の部材表面４１ｍ側に第５突起部４１ａおよび第６突起部４１ｂが設けられている。よって、後述する第２バンド２５に設けた連結孔２５ｂに第７突起部４１ｃと第８突起部４１ｄとが挿入されると、第７突起部４１ｃと第８突起部４１ｄとの頭部が第２バンド２５から突出する構成となる。
【００９７】
また、部材裏面４１ｊには、第２のバンド保持部としての第２バンド保持部４１ｈが、第７突起部４１ｃと第８突起部４１ｄとが並んでいる方向に沿って貫通した第２の貫通孔としての貫通孔４１ｇを含んで設けられている。そして、第２バンド保持部４１ｈの貫通孔４１ｇに、第２バンド２５の剣先２５ａが挿入されて、第２バンド２５を保持することができる。
【００９８】
接続部材４１の内部には、Ａ方向から見た平面視で、第５突起部４１ａと、第６突起部４１ｂと、第１バンド保持部４１ｋと、に重なる領域に、第１バンド１６および第２バンド２５よりも曲げ剛性が高い支持部３２が配置されている。支持部３２は、接続部材４１の長手方向に沿った略直線状に形成されており、支持部３２が第５突起部４１ａから第６突起部４１ｂに亘って構成されている。つまり、支持部３２は、Ｄ方向から見た平面視で、第７突起部４１ｃ、第２バンド保持部４１ｈおよび第８突起部４１ｄと、第５突起部４１ａ、第１バンド保持部４１ｋおよび第６突起部４１ｂと、が重なって構成されている。支持部３２は、接続部材４１の内部に２色成形法やインサート成形法を用いて形成されている。
【００９９】
第１バンド１６は、第５の連結孔および第６の連結孔としての連結孔１６ｂが空けられており、第２バンド２５は、第７の連結孔および第８の連結孔としての連結孔２５ｂが空けられている。連結孔１６ｂは、第５突起部４１ａと第６突起部４１ｂとの間隔に対応して設けられているため、連結孔１６ｂに、第５突起部４１ａと第６突起部４１ｂとを挿入することができる。また、連結孔２５ｂは、第７突起部４１ｃと第８突起部４１ｄとの間隔に対応して設けられているため、連結孔２５ｂに、第７突起部４１ｃと第８突起部４１ｄとを挿入することができる。
【０１００】
このように構成することにより、接続部材４１の内部に曲げ剛性が高い支持部３２を配置して被装着部位２００に電子機器本体１００を装着した際に、第１バンド１６と第２バンド２５とを支持部３２の形状に沿って略直線状に構成して、被装着部位２００と略相似形状にすることができる。
【０１０１】
また、変形例１〜３で説明した第１突起部１３ａ，１４ａ，１５ａに同様の構成を、第５突起部４１ａおよび第６突起部４１ｂと、第７突起部４１ｃおよび第８突起部４１ｄとに設けることにより、第１バンド１６と、第２バンド２５との結合力を高めることができる。
【０１０２】
［携帯型電子機器の取付け方法］
次に、上述した第３実施形態に係る接続部材４１を用いて、第１バンド１６と第２バンド２５とを接続してリスト機器１０００を被装着部位２００に装着する際の取付け方法について、図１７を用いて説明する。
【０１０３】
電子機器本体１００を被装着部位２００の取り付け位置に設置して、第１バンド１６と第２バンド２５を被装着部位２００の形状に沿わせて変形させながら環状に変形させる。そして、第２バンド２５の剣先２５ａを貫通孔４１ｇに他方の方向としてのＣ方向に沿って挿入し、電子機器本体１００の取り付け位置を確認しながら、所望の連結孔２５ｂに、第７突起部４１ｃおよび第８突起部４１ｄを挿入する。続いて第１バンド１６の剣先１６ａをＣ方向と反対側の一方の方向としてのＢ方向に沿って貫通孔４１ｅに挿入する。つまり、第１バンド１６と第２バンド２５とが、対向する方向に沿って接続部材４１の表裏に設けた第１バンド保持部４１ｋと第２バンド保持部４１ｈとに挿入される。次に、電子機器本体１００の締め付け具合を確認しながら、第５突起部４１ａと第６突起部４１ｂとに連結孔１６ｂを挿入する。このような方法により第１バンド１６と第２バンド２５とが接続部材４１により接続されて、電子機器本体１００を被装着部位２００に装着することができる。
【０１０４】
以上、説明したように電子機器本体１００を第１バンド１６と第２バンド２５とを環状に変形させて、曲げ剛性の高い支持部３２を含む接続部材４１を用いて接続し、被装着部位２００に装着することにより、接続部材４１の形状に沿って第１バンド１６と第２バンド２５とを略直線状に構成することができる。略直線状に構成することにより、第１バンド１６と第２バンド２５とを環状に変形させる際に生じる反発力Ｆ１，Ｆ２を低減させて電子機器本体１００が被装着部位２００から浮き上がってしまうことを防ぐことができる。従って、運動に起因する衝撃や振動によって電子機器本体１００が被装着面ＳＦから持ち上がってしまうことを防いで、運動中でも安定的に生体情報を取得することができる。
【符号の説明】
【０１０５】
１０…一方のバンドとしての第１バンド、１０ｃ…第１突起部、１０ｄ…第２突起部、１０ｅ…バンド保持部、２０…他方のバンドとしての第２バンド、２０ａ…剣先、２０ｂ…第１の連結孔と第２の連結孔としての連結孔、３０…支持部、４０…接続部材、４０ａ…第３突起部、４０ｂ…第４突起部、４０ｃ…バンド保持部、４１…接続部材、４１ａ…第５突起部、４１ｂ…第６突起部、４１ｃ…第７突起部、４１ｄ…第８突起部、１００…電子機器本体、２００…被装着部位、１０００…リスト機器。
【図１】
2018153294.tif 000003
【図２】
2018153294.tif 000004
【図３】
2018153294.tif 000005
【図４】
2018153294.tif 000006
【図５】
2018153294.tif 000007
【図６】
2018153294.tif 000008
【図７】
2018153294.tif 000009
【図８】
2018153294.tif 000010
【図９】
2018153294.tif 000011
【図１０】
2018153294.tif 000012
【図１１】
2018153294.tif 000013
【図１２】
2018153294.tif 000014
【図１３】
2018153294.tif 000015
【図１４】
2018153294.tif 000016
【図１５】
2018153294.tif 000017
【図１６】
2018153294.tif 000018
【図１７】
2018153294.tif 000019
【図１８】
2018153294.tif 000020